(57)【要約】  本発明は、２つのキャビティ（３）が互いに密接して配置されると共に共通のカバー（４）によって互いに対して封止されている器具（１) 、特にマイクロフルイディックシステムに関する。ピン形状の物体（５）をカバー（４）の方向に動かすことによってキャビティ（３）相互間にフルイディック結合部が作られる。それにより、試薬を加圧する必要なく試薬を制御された仕方で放出することが可能である。
2014510918.tif 000002
【特許請求の範囲】
【請求項１】
器具（１) 、特にマイクロフルイディックシステムであって、前記器具は、基体（２）及び２つの隣接したキャビティ（３）を有し、前記キャビティは、共通のカバー（４）によって互いに封止され、前記器具は、前記カバー（４）の方向に開始位置から動き出すことができる好ましくはピン形状の物体（５）を有し、前記物体（５）は、前記キャビティ相互間にフルイディック結合部（６）を形成している、器具。
【請求項２】
前記キャビティ（３）は、前記基体（２）内に配置され又は形成されると共に前記カバー（４）によって覆われている、請求項１記載の器具。
【請求項３】
前記カバー（４）は、少なくとも前記キャビティ（３）相互間の領域で好ましくは流体密状態で前記基体（２）上に載り又は前記基体（２）にくっついている、請求項１又は２記載の器具。
【請求項４】
前記カバー（４）は、フィルム状形態のものであり又は覆いフィルムである、請求項１〜３のうちいずれか一に記載の器具。
【請求項５】
前記物体（５）は、前記カバー（４）に向いたのっぺりとした、平坦な又は丸形の端部を備えている、請求項１〜４のうちいずれか一に記載の器具。
【請求項６】
前記カバー（４）は、前記基体（２）と前記カバー（４）との間で前記キャビティ（３）相互間に前記フルイディック結合部（６）を少なくとも実質的に形成するために、前記物体（５）によって、特に前記カバー（４）の膨張及び／又は前記基体（２）からの前記カバー（４）の部分的膨出又は分離によって変形可能である、請求項１〜５のうちいずれか一に記載の器具。
【請求項７】
前記物体（５）は、前記カバー（４）の方向における並進運動及び／又は前記物体（５）に作用する力によって、特に、好ましくは前記カバー（４）から見て遠くに位置する前記物体の側部に加わる外部圧力によって、前記カバー（４）に向かって動くことができる、請求項１〜６のうちいずれか一に記載の器具。
【請求項８】
前記カバー（４）は、前記物体（５）によって可逆的に膨張可能であり、他方、好ましくは、膨張したカバー（４）は、前記物体（５）に復元力を及ぼし、特に、前記物体（５）をその開始位置に動かすことができると共に／或いは前記復元力によりその開始位置に保持することができる、請求項１〜７のうちいずれか一に記載の器具。
【請求項９】
前記基体（２）は、凹部（８）、特に開口部を有し、前記物体（５）は、前記凹部（８）内に特に押すことによって動くことができるよう収納されると共に／或いは取り付けられ、特に案内される、請求項１〜８のうちいずれか一に記載の器具。
【請求項１０】
前記凹部（８）及び／又は前記物体（５）の運動方向は、前記カバー（４）及び／又は前記基体（２）の主要方向平面に対して横方向に、特に垂直に延びている、請求項９記載の器具。
【請求項１１】
前記器具（１）は、前記カバー（４）から見て遠くに位置する前記基体（２）の側部上に、追加のカバー（１２）を有し、前記追加のカバー（１２）は、前記凹部（８）を覆うと共に／或いは封止し、他方、好ましくは前記追加のカバー（１２）は、力、特に圧力を前記物体（５）に伝達するために弾性変形可能であり又は非可逆的に変形可能であるよう具体化されている、請求項９又は１０記載の器具。
【請求項１２】
貯蔵領域（９）が前記カバー（４）によって覆われたキャビティ（３）を備えると共に／或いは前記貯蔵領域（９）は、前記キャビティ（３）のうちの１つと連通するよう前記キャビティ（３）のうちの１つに連結され、前記貯蔵領域（９）は、好ましくは、液体及び／又は固体試薬（１０）を収容している、請求項１〜１１のうちいずれか一に記載の器具。
【請求項１３】
前記貯蔵領域（９）は、前記カバー（４）に設けられた閉鎖可能なアクセスポイント（１１）及び／又は閉鎖可能なベント（１３）を有し、好ましくは、液体又は固体試薬（１０）を前記アクセスポイント（１１）及び／又は前記ベント（１３）から加えることができると共に／或いは前記アクセスポイント（１１）及び／又は前記ベント（１３）は、接着により、特にフィルム又は接着ストリップの付着によって及び／又は溶着によって閉鎖可能である、請求項１２記載の器具。
【請求項１４】
器具（１）、特にマイクロフルイディックシステム内にフルイディック結合部（６）を作る方法であって、２つの隣り合うキャビティ（３）が共通カバー（４）を備え、前記カバー（４）は、前記キャビティ（３）を互いに対して封止し、前記キャビティ（３）の互いに対するフルイディック結合部（６）を好ましくはピン形状の物体（５）を用いて前記キャビティ（３）相互間における前記カバー（４）の変形によって生じさせる、方法。
【請求項１５】
前記物体（５）を、前記キャビティ（３）を有する基体（２）に設けられた凹部（８）から出して前記カバー（４）の方へ動かし、好ましくは、前記カバー（４）を前記キャビティ（３）相互間で前記基体（２）から持ち上げて放すと共に／或いはフルイディック結合部（６）を前記キャビティ（３）相互間に作る、請求項１４記載の方法。
【発明の詳細な説明】
【技術分野】
【０００１】
本発明は、フルイディック結合部を作る器具及び方法に関する。
【０００２】
本発明は、特に、特に好ましくはいわゆるポイント・オブ・ケア（point of care）システム（ＰＯＣシステム）においてマイクロフルイディックサンプル（検体）の診断のためのマイクロフルイディックシステムに関する。特に、本発明は、好ましくは、小型化フルイディックシステム（以下、「アッセイ」又は「免疫学的検定」という）、即ち抗体を用いたサンプルの治験に関する。しかしながら、本発明は又、他の特に小型化フルイディックシステムに関する。特に好ましくは、本発明は、液体サンプルの取扱い及び／又は検査のため且つ／或いはアッセイ又は免疫学的検定を実施するためのいわゆるカートリッジ設計、即ち、小型の特に箱形の器具に関する。
【０００３】
独国特許出願公開第１０２００７０３５７２１（Ａ１）号明細書は、互いに連結可能な第１の弁チャンバと第２の弁チャンバを有するマイクロ弁に関する。弁チャンバを閉鎖しているメンブレンをこれらチャンバのうちの一方の中の流体圧力によって持ち上げ、その結果、弁チャンバ相互間に貫通チャネルが形成されるようにする。しかしながら、２つの弁チャンバ相互間の結合部を十分な圧力差が生じた場合にしか作ることができないという欠点がある。その結果、チャンバのうちの一方の中に設けられた試薬を少なくとも実質的に圧力差のない状態で、外部力により若しくは連結されるべき器具とは別個独立であり又は器具とは別個独立に制御される力の印加により且つ／或いは特に毛管力を用いたマイクロフルイディック輸送によって放出することが可能ではない。
【先行技術文献】
【特許文献】
【０００４】
【特許文献１】独国特許出願公開第１０２００７０３５７２１（Ａ１）号明細書
【発明の概要】
【発明が解決しようとする課題】
【０００５】
本発明は、圧力差がない場合であっても且つ／或いは外部から力を加えることによって結合部を作ることができるようなフルイディック結合部を作る器具及び方法を提供するという課題に基づいている。
【０００６】
かかる課題は、請求項１記載の器具又は請求項１４記載の方法によって解決される。有利な別の特徴は、従属形式の請求項の内容である。
【０００７】
本発明は、特に、特にマイクロフルイディックシステムにおいて試薬又は他の特に液体又は流体的に活性の物質の放出に関する。「マイクロフルイディック」という用語は、本発明によれば、好ましくは１０ｍｌ未満、特に好ましくは１ｍｌ未満の容積及び／又は５ｍｍ未満、好ましくは２ｍｍ未満、特に好ましくは５００μｍ未満のチャネル、キャビティ又は液体断面寸法（最大直径及び／又は水力直径）を意味している。
【０００８】
本発明の第１の観点によれば、器具、特にマイクロフルイディックシステムが基体及び互いに空間的関係をなした２つのキャビティを有する。キャビティは、共通のカバーによって互いに封止されている。加うるに、器具は、好ましくは開始位置からカバーに向かって動き出すことができるピンの形状をした物体を有し、それによりキャビティ相互間にフルイディック結合部が作られる。
【０００９】
特に、物体を開放位置に動かすことによって開くことができ、又、好ましくは、特に物体を開始位置に戻すことによって再び閉鎖することができる弁（マイクロフルイディック弁）が形成される。これにより、有利には、圧力差のない状態でフルイディック結合部を作ることができ、しかも、キャビティのうちの１つの中に入っている試薬の放出を制御することができる。
【００１０】
特に好ましくは、物体が、基体内に配置され、好ましくは、物体は、両方のキャビティを覆っているカバーの領域に作用することができる。カバーを物体によって、好ましくは凸形状の膨出により、膨張により且つ／或いはカバーは、基体から特にその領域において部分的に分離することによって変形させることができる。好ましくは、物体をカバーに向かって基体から押し出し、他方、カバーをテントのように部分的に引き伸ばし又は隆起させることができる。基体から分離されたカバーの領域は、カバーと基体との間にキャビティ、特に切頭形状の且つ／或いはマイクロフルイディック的に活性のキャビティを形成することができ、かかるキャビティは、特に、キャビティ相互間のフルイディック結合部を形成する。
【００１１】
好ましくは、キャビティは、基体内に配置され又は形成され、全体的に又は部分的にカバーによって閉鎖可能である。キャビティは、好ましくは、カバーを備えたマイクロフルイディック的に活性のチャネル、即ち、特に、毛管輸送を可能にし又は促進する断面を備えたチャネルを形成する。カバーは、好ましくは、基体上に配置され、より好ましくは、基体に接着されると共に／或いは溶着され、かかるカバーは、フィルム、プレート等であっても良く、或いはフィルム、プレート等から成っていても良い。
【００１２】
本発明では、特に、物体の開始位置において、キャビティは、カバーによって互いに封止され、カバーは、特に封止関係をなして基体の中間領域に当接し又はくっつく。この目的のため、カバーは、少なくともキャビティ相互間の領域において、封止関係をなし、インターロック係合関係をなし且つ／或いは摩擦係合関係をなして基体上に載るのが良い。カバーを好ましくは手動で、キャビティ内の流体圧力とは無関係にフルイディック結合部を形成する本体によって、外部機械的及び／又は手動の力の効果によって且つ／或いはキャビティとは別個独立であり、これ又油圧の作用又は空気圧の作用で動作することができる器具の作動によって変形させることができると共に／或いはキャビティ相互間で動かすことができる。
【００１３】
物体は、好ましくは、キャビティ相互間にフルイディック結合部を形成するようカバーに向かって動くことができる。好ましくはピン形状の物体が特にカバーをキャビティ相互間の領域で持ち上げることによってフルイディック結合部を提供するよう用いられる。基体は、凹部、特に開口部を有するのが良く、物体は、特に押されることによって動くことができるようこの凹部内に収納されると共に／或いは（摺動可能に）設けられる。
【００１４】
好ましくは、カバーから見て遠くに位置する凹部の側部は、別のカバーを備え、この別のカバーは、異物が入り込むのを阻止すると共に／或いは物質が出るのを阻止することができる。
【００１５】
本発明の別の観点によれば、キャビティのうちの少なくとも１つは、貯蔵領域、リザーバ等を形成することができ又は貯蔵領域、リザーバ等に連結可能である。この貯蔵領域内に入っている試薬を放出するため、キャビティは、好ましくは、冒頭に記載した仕方で互いに流体結合される。
【００１６】
フルイディック結合部を作るため、好ましくは、圧力又は他の力が好ましくはピン形状の物体に外部から加えられ、次いで、ピン形状物体は、キャビティ相互間でカバーを持ち上げて基体とカバーとの間に（例えば、存在する液体の圧力と一緒に）中空空間又は中間空間を作り又はかかる空間を得ることができるようにし、この中空空間は、キャビティ相互間のフルイディック結合部として働く。かくして、貯蔵領域内に入っている試薬は、キャビティのうちの１つの中の弁を開くのに過剰の圧力を必要としないで特に流体学的に一方のキャビティから他方のキャビティ内に移ることができる。かくして、有利には、試薬又は他の物質の放出を実質的にキャビティとは別個独立に、キャビティ内の圧力とは別個独立に且つ／或いは外部から作用する力、特に制御可能な力とは別個独立に可能にすることができる。
【００１７】
これ又別個独立に達成できる本発明のもう１つの観点は、器具、特にマイクロフルイディック配置内にフルイディック結合部を提供する方法であって、２つの隣り合うキャビティが共通カバーを備え、カバーは、キャビティを互いに対して封止し、キャビティの互いに対するフルイディック結合部を好ましくはピン形状の物体を用いてキャビティ相互間におけるカバーの変形によって生じさせることを特徴とする方法に関する。
【００１８】
本発明の別の観点、別の特徴及び別の利点は、特許請求の範囲の記載及び図面を参照して行われる好ましい実施形態についての以下の説明から明らかになろう。
【図面の簡単な説明】
【００１９】
【図１】提案している器具の部分平面図である。
【図２】図１の器具の第１の断面図である。
【図３】図１の器具の第２の断面図である。
【発明を実施するための形態】
【００２０】
図中、同様な又は対応の利点及び特性を生じさせる場合、関連の説明を繰り返さない場合であっても、同一の参照符号が同一又は類似の部分及びコンポーネントに用いられている。
【００２１】
図１は、提案対象の器具１、特にマイクロフルイディックシステムを概略部分平面図で示している。器具１は、互いに空間的に近接して配置され又は隣接して配置された２つのキャビティ３を有する。
【００２２】
図２は、図１に示された断面線に沿って取った器具１の断面を示している。キャビティ３は、キャビティ３を互いに封止する共通のカバー４を有している。このカバー４は、図１では透明であり又は図示と関連した技術上の理由で示されていない。
【００２３】
器具１は、好ましくはピン形状の物体５を有する。このピン形状の物体は、キャビティ３を互いに封止する図２に例示的に示された開始位置からカバー４に向かって開放位置に動くことができ、キャビティ３相互間にフルイディック結合部６を形成することが提案されている。好ましくは、物体５は、この目的のため、この目的で図３の矢印によって示された方向に又は図３に示された開放位置に押され又は動かされる。
【００２４】
特に好ましくは、物体５は、基体２に設けられた凹部８、特に開口部内に配置され、好ましくは、特に押されると共に／或いは（摺動可能に）設けられ又は案内されることが可能であるよう動くことができる。凹部８は、好ましくは、物体５と少なくとも実質的に相補するよう構成されている。有利には、これにより、凹部８が実質的に、試薬１０で又は相当な量の試薬で満たされていない状態であっても試薬１０がフルイディック結合部６を通って一方のキャビティから他方のキャビティ３内に流れることができる。凹部８は、好ましくは、カバー４及び／又は基体２の主要方向平面に対して横方向に、特に直角に延びている。これにより、本体５は、カバー４に向かって横方向に又は少なくとも実質的に垂直に動くことができ、かくして、キャビティ３の付近に結合部６を形成するよう基体２からのカバー４の好ましい分離を促進する。
【００２５】
本体５は、好ましくは、円筒形の形態のものである。これにより、物体５を基体２及び／又はカバー４の主要方向平面に垂直に本体５の中心軸線に対する本体５の回転位置とは別個独立に凹部８内に挿入することができる。
【００２６】
本体５は、並進により及び／又はカバー４の方向に物体５に作用する力によってカバー４に向かって動くことができるのが良い。好ましくは、カバー４から見て遠くに位置する物体５の側部に加わる外部及び／又は機械的圧力又は他の外部力は、物体５をその開始位置からその開放位置に押して図３に矢印で示されているように結合部６を形成する。
【００２７】
物体５は、カバー４に向いたのっぺりとした又は平坦な端部を備えるのが良い。その結果、結合部６を形成するために物体５によりカバー４に及ぼされる圧力を少なくとも実質的に物体５の端面に相当する領域全体にわたって分布させることができる。かくして、物体５により生じるカバー４に加わる剪断応力及びマイナスの影響の発生を回避することができる。
【００２８】
図示の実施形態では、物体５は、５ｍｍ未満、２ｍｍ未満、好ましくは１ｍｍ以下の直径を有するのが良い。カバー４及び／又は基体２の主要方向平面に垂直な物体５の長さは、好ましくは、１０ｍｍ又は５ｍｍ未満であり、特に２ｍｍ未満である。領域７の直径は、例えば、１０ｍｍ未満、好ましくは５ｍｍ未満、特に２ｍｍ以下であるのが良い。
【００２９】
カバー４を物体５により可逆的に伸長させることができれば特に好ましい。伸長したカバー４は、復元力を物体５に及ぼすことが可能であり、特に、復元力は、物体５をその開始位置（図２を比較参照されたい）に動かすことができると共に／或いは物体５を開始位置に維持することができる。かくして、カバー４に向かって動かされた物体５は、カバー４の張力及び／又は弾性によって図２に示された位置に保持されると共に／或いは図３に示された位置から図２に示されている位置に押し戻される。
【００３０】
物体５の開始位置（図２）では、キャビティ３は、好ましくは、互いに封止されている。物体５をカバー４（図３）に向かって動かした場合、フルイディック結合部６が形成される。物体５を動かす力を除くと、物体５は、好ましくは、その開始位置（図２）に押し戻され、それにより、特に、結合部６が再び形成されると共に／或いはキャビティ３が互いに封止される。変形例として、物体５を開放位置に動かすことによって永続的な結合部６を作っても良い。
【００３１】
カバー４の領域７は、特に好ましくは、凹部８及び／又は２つのキャビティ３の端部を覆う。領域７は、図１に破線で示されているように特に凹部８及び／又は物体５の周りに配置されるのが良い。
【００３２】
カバー４は、好ましくは、キャビティ３を互いに流体結合するために、物体５により、特にカバー４の膨張及び／又は基体２からのカバー４の部分的分離によって領域７に関して変形可能である。
【００３３】
カバー４の領域７は、好ましくは、カバー４の残部と同じ材料で作られる。特に、カバー４の領域７は、領域７の外部でカバー４と一体に形成される。代替的に又は追加的に、カバー４は、領域７に関して異なる材料及び／又は異なる幾何学的特性を有しても良い。特に、カバー４は、領域７が領域７の周りのカバー４の領域よりも厚くても良く又は薄くても良い。
【００３４】
カバー４は、領域７の少なくとも幾つかの部分に関して波形部、伸縮プリーツ等を有するのが良い。特に、ビード、シール等がカバー４上に又はカバー４によって、特に好ましくは凹部８とキャビティ３との間でカバー４の領域７において基体２に向いたカバー４の側部に形成されるのが良い。
【００３５】
カバー４は、領域７が接着剤及び／又は封止剤で覆われるのが良い。好ましくは、カバー４は、領域７に被膜を有するのが良く、この被膜は、特に、カバー４の他の部分の被膜とは異なる。領域７は、特に製造中、基体２へのカバー４の領域７の溶着、くっつき又は他の永続的な結合を阻止すると共に／或いは基体２からのカバー４の領域７の後での分離を促進する被膜を有するのが良い。かくして、カバー４の少なくとも領域７をキャビティ３相互間にシールを形成することができると共に／或いは基体２からのカバー４の非破壊的分離を可能にするよう構成されることが好ましい。
【００３６】
本発明のもう１つの観点によれば、器具１は、好ましくは、カバー４から見て遠くに位置する基体２の側部上に、追加のカバー１２を有し、この追加のカバー１２は、凹部８を覆うと共に／或いはこれを封止する。追加のカバー１２は、特に基体２に接着され又は溶着されるのが良い。追加のカバーは、好ましくは、特に加圧により及び／又は変形により力を本体５上に伝達し又は伝えるよう構成される。図３の矢印で示されているように、力が追加のカバー１２を介して物体５に作用するのが良く、他方、好ましくは、物体５は、カバー４に押し付けられる。このように、カバー４は、それ自体基体２から分離すると共に／或いは領域７に凸部を形成することができ、それによりフルイディック結合部６が形成される。追加のカバー１２は、異物が凹部８に入るのを阻止すると共に／或いは試薬１０が特にキャビティ３のうちの１つからカバー４から見て遠くに位置する基体２の側部の凹部８を通って逃げ出るのを阻止することができる。
【００３７】
凹部８は、カバー４から見て遠くに位置する基体２の側部上に、特に開口部に向かって増大する直径を備えた円錐形入口部分を有するのが良い。これにより、図３に矢印で示されているように機械的な、特に手動の圧力を及ぼすことができると共に／或いはカバー４から見て遠くに位置する基体の側部で凹部８の入口のところでの開口部の縁に加わる剪断応力が減少する。加うるに、凹部８中への物体５の挿入が容易になる。
【００３８】
カバー４及び／又は追加のカバー１２は、カバーフィルムであっても良く、或いはカバーフィルムを有していても良く、カバー４及び／又はカバー１２は、好ましくは、単一プライ、多プライ、一方の側部又は両方の側部に粘着性があり、単層又は多層であり、少なくとも１つの低融点層又は被膜は、変形可能であり、弾性であり且つ／或いは柔軟性である。
【００３９】
特に、カバー４及び／又はカバー１２は、多層であるのが良く、他方、層のうちの１つは、領域７に関して省かれると共に／或いは追加の層が設けられ、この追加の層は、特に、弾性的に弾力のある性質を有する。さらに、カバー４及び／又はカバー１２は、低融点層又は被膜を有し、特に、２００℃未満、特に１５０℃未満で溶ける層を有するのが良い。この低融点層は、好ましくは、基体２に向いたカバー４及び／又はカバー１２の側部上に被着され、この低融点層は、カバー４及び／又はカバー１２を基体２に溶着すると共に／或いは熱的にくっつけるために使用されるのが良い。代替的に又は追加的に、一方の側又は両方の側に、特に基体２に向いたカバー４及び／又はカバー１２の側に粘着性のある層が設けられるのが良く、これは、カバー４及び／又は追加のカバー１２の簡単且つ安価な取り付けに寄与する。
【００４０】
本発明の一観点によれば、器具１は、カバー４により覆われたキャビティ３を備えると共に／或いはキャビティ３と連通するようキャビティ３に連結された貯蔵領域９、特にリザーバを有するのが良い。貯蔵領域９は、液体及び／又は固体試薬１０を収容するのが良い。試薬１０が流体的に運搬可能であり、即ち、毛管力等によって運搬できれば特に好ましい。
【００４１】
本発明の試薬１０は、好ましくは別の物質、特にサンプル及び／又は液体と相互作用することができる任意の物質であって良い。かくして、「試薬」という用語は、好ましくは、広義に理解され、また、溶剤、洗浄液等を含む。かくして、「反応」は、特に、２つの物質の相互の純粋に物理学的な又は物理化学的な効果、特に固体又は液体試薬の溶解プロセスであるのが良い。
【００４２】
貯蔵領域９は、アクセスポイント１１及び／又はベント１３を有するのが良い。アクセスポイント１１及び／又はベント１３は、液体又は固体試薬１０を加えると共に／或いは貯蔵領域９を換気し、又は排気するために用いられるのが良い。アクセスポイント１１及び／又はベント１３は、好ましくは、特に接着、フィルムの付着、接着ストリップ及び／又は溶着によって封止されるようになっている。貯蔵領域９が試薬１０で満たされているとき又は貯蔵領域９から試薬１０が排出されているとき、アクセスポイント１１を空気抜きのために用いると共に／或いはベント１３をアクセスポイントとして用いることが可能である。
【００４３】
冒頭で説明したように、物体５は、好ましくは、外部から且つ／或いはキャビティ３を有する基体２の凹部８から機械的にカバー４に向かって動かされ、その結果、カバー４が持ち上げられてキャビティ３相互間で基体２から放され又は切り離され、キャビティ３相互間にフルイディック結合部６が設けられる。しかしながら、代替的に又は追加的に、物体５を他の何らかの方法によって動かすことも可能である。
【００４４】
一実施形態では、物体５は、磁性材料から成っていても良く、かかる物体５を磁気反発及び／又は磁気引き付けによってカバー４の方向に基体２から出すことができる。好ましくは物体５を磁気作用で且つ／或いは電磁的に動かすために用いることができる導電性構造体、特にコイルを好ましくは領域７内で且つ／或いは凹部８又は物体５の周りで基体２上に、基体２内に又はこれに近接して配置されるのが良い。代替的に又は追加的に、物体５は、油圧の作用で又は空気圧の作用で動かされても良い。例えば、基体２の凹部８にガス及び／又は液体をアクセスさせても良く且つ／或いは物体５から見て遠くに位置する追加のカバー１２の側にガス及び／又は液体をアクセスさせても良く、その目的は、特に図３に矢印で示された方向において油圧又は空気圧を物体５に及ぼすことにある。しかしながら、物体５を動かす他の別の手段も又、想到できる。
【００４５】
別個独立にも具体化できる本発明の別の観点によれば、提案対象の器具は又、特にマイクロフルイディックポンプとして使用でき又はかかるポンプを形成するよう使用できる。このために、提案対象の器具を独国特許出願公開第１０２００７０３５７２１（Ａ１）号明細書に開示されているように一方向における物質の流れを阻止する逆止弁又は他の装置と組み合わせることが好ましい。
【００４６】
物体５をその開放位置（図３）に押し、それにより何も入っていない空間又は中空部を形成することによって、フルイディック結合部６が作られる。追加の容積部は、フルイディック結合部６が作られているときに試薬１０を吸引する減圧状態を生じさせることができる。物体５をその開始位置（図２）に動かすと、フルイディック結合部６により作られる中空部の容積が減少し、フルイディック結合部６内に入っている試薬１０が領域７から押し出される。試薬１０が例えば弁によって一方向に逆流するのが阻止される場合、試薬１０は、逆方向にフルイディック結合部６から運び出される。
【００４７】
かくして、物体５を開始位置と開放位置との間で繰り返し作動させ又は動かすことによって、提案対象の器具１をポンプ輸送のために使用できる。
【符号の説明】
【００４８】
１  器具
２  基体
３  キャビティ
４  カバー
５  物体
６  結合部
７  領域
８  凹部
９  貯蔵領域
１０  試薬
１１  アクセスポイント
１２  追加のカバー
１３  ベント
【図１】
2014510918.tif 000003
【図２】
2014510918.tif 000004
【図３】
2014510918.tif 000005
【国際調査報告】
2014510918.tif 000006
2014510918.tif 000007
2014510918.tif 000008
2014510918.tif 000009
2014510918.tif 000010
2014510918.tif 000011